(57)【要約】【課題】アイドルシャフトの加工工程を削減してコスト低減を図ると共に、アイドルシャフト組付作業の効率化を図る。【解決手段】アイドルシャフト８９の軸受部９９側に止め具取付溝104を設ける。止め具取付溝104は二方取り形状となっており、止め具103が回転方向の移動が規制された状態で取り付けられる。ギヤカバー２４の軸受部９９には、止め具取付溝104に対応して止め具係入穴106が設けられている。アイドルシャフト８９を軸孔101，軸穴102に挿入し、下方から止め具103を止め具取付溝104に取り付ける。その際、嵌合片108の先端部108aを止め具係入穴106内に挿入する。これにより、アイドルシャフト８９はギヤカバー２４に対して抜け止め、回り止めされた状態で取り付けられる。【選択図】図１
2008240538.tif 000002
【特許請求の範囲】
【請求項１】
電動機によって回転駆動され、軸方向に移動することによりエンジンのリングギヤと噛合するアイドルギヤと、
前記アイドルギヤを回転自在かつ軸方向に移動可能に支持するアイドルシャフトと、
前記エンジンに取り付けられ、前記アイドルシャフトの両端部を支持するカバー部材とを有してなる始動電動機であって、
前記アイドルシャフトの外周に形成された止め具取付溝と、
前記止め具取付溝に弾性的に嵌合可能な嵌合片を備え、前記アイドルシャフトに回転方向の移動が規制された状態で取り付けられる止め具と、
前記止め具取付溝に対応して前記カバー部材に形成され、前記嵌合片の先端部が挿入される止め具係入孔とを有することを特徴とする始動電動機。
【請求項２】
電動機によって回転駆動され、軸方向に移動することによりエンジンのリングギヤと噛合するアイドルギヤと、
前記アイドルギヤを回転自在かつ軸方向に移動可能に支持するアイドルシャフトと、
前記エンジンに取り付けられ、前記アイドルシャフトの両端部を支持するカバー部材とを有してなる始動電動機であって、
前記アイドルシャフトの一端側外周に形成された止め具取付溝と、
前記止め具取付溝に取り付けられ、前記カバー部材の前記アイドルシャフト一端側の部位と当接して前記アイドルシャフトの軸方向の移動を規制する止め具と、
前記アイドルシャフトの他端側端部に形成された嵌合部と、
前記カバー部材の前記アイドルシャフト他端側に形成され、前記嵌合部と嵌合して前記アイドルシャフトの回転方向の移動を規制する嵌合穴とを有することを特徴とする始動電動機。
【請求項３】
電動機によって回転駆動され、軸方向に移動することによりエンジンのリングギヤと噛合するアイドルギヤと、
前記アイドルギヤを回転自在かつ軸方向に移動可能に支持するアイドルシャフトと、
前記エンジンに取り付けられ、前記アイドルシャフトの両端部を支持するカバー部材とを有してなる始動電動機であって、
前記アイドルシャフトの外周に形成された止め具取付溝と、
前記止め具取付溝に弾性的に嵌合可能な嵌合片を備え、前記アイドルシャフトに回転方向の移動が規制された状態で取り付けられる止め具と、
前記止め具取付溝に対応して前記カバー部材に形成され、前記止め具が前記カバー部材の外部から挿入可能な止め具挿入溝とを有することを特徴とする始動電動機。
【請求項４】
電動機によって回転駆動され、軸方向に移動することによりエンジンのリングギヤと噛合するアイドルギヤと、
前記アイドルギヤを回転自在かつ軸方向に移動可能に支持するアイドルシャフトと、
前記エンジンに取り付けられ、前記アイドルシャフトの両端部を支持するカバー部材とを有してなる始動電動機であって、
前記アイドルシャフトの外周に形成された止め具取付溝と、
前記止め具取付溝に弾性的に嵌合し前記アイドルシャフトに回転方向の移動が規制された状態で取り付けられるクリップ部と、前記クリップ部と接続され、前記カバー部材に軸方向への移動が規制された状態で取り付けられる装着部とを備えた止め具とを有することを特徴とする始動電動機。
【発明の詳細な説明】
【技術分野】
【０００１】
本発明は、自動車等のエンジンに取り付けられる始動電動機に関し、特に、電動機によって回転駆動され軸方向に移動可能なアイドルギヤを備えた始動電動機に関する。
【背景技術】
【０００２】
自動車や自動二輪車、大型発電機等に使用されるエンジンでは、エンジンに取り付けられた始動電動機（スタータモータ）によって始動動作が行われるのが一般的である。このような始動電動機としては、特許文献１のように、軸方向に移動可能なアイドルギヤが備えたものが知られている。このアイドルギヤは、エンジンのリングギヤと噛合・離脱可能に配置されており、エンジン始動時に両ギヤが噛合し、エンジン始動後にそれらの噛合が解除されるようになっている。アイドルギヤはまた、始動電動機によって回転駆動されるピニオンと噛合しており、ピニオンはオーバーランニングクラッチを介してモータの回転軸に接続されている。
【０００３】
図１２は、このような従来の始動電動機の構成を示す説明図である。始動電動機201は、大別すると、モータ部202、ギヤ部203、マグネットスイッチ部204、ケース部205及びアイドル部206とから構成されている。モータ部202には駆動源であるモータ211が配設され、ギヤ部203には減速装置である遊星歯車機構212やオーバーランニングクラッチ213、ピニオンギヤ214などが配設されている。アイドル部206には、ピニオンギヤ214と噛合するアイドルギヤ215が配設されている。アイドルギヤ215は、ケース部205のギヤカバー219内に収容されており、ギヤカバー219に取り付けられたアイドルシャフト220に回転自在に取り付けられている。また、アイドルギヤ215は、軸方向（図中左右方向）に移動可能となっており、図中左方向に移動すると、エンジンのリングギヤ216と噛合する。アイドルギヤ215の図中右端面は、ピニオンギヤ214に形成されたフランジ部217と当接している。
【０００４】
モータ211が回転すると、その回転は、遊星歯車機構212及びオーバーランニングクラッチ213を介してピニオンギヤ214に伝わる。その際、ピニオンギヤ214は、ヘリカルスプライン部218の作用により図中左方に移動し、アイドルギヤ215は、ピニオンギヤ214と共に、回転しつつ左方に移動する。これにより、アイドルギヤ215がリングギヤ216と噛合し、モータ211の回転力がアイドルギヤ215を介してリングギヤ216へと伝達され、エンジンが始動される。
【特許文献１】特開2006-274874号公報
【発明の開示】
【発明が解決しようとする課題】
【０００５】
一方、このような始動電動機では、アイドルシャフト220は、回り止め、抜け止めのため、図１２に示すように、ギヤカバー219に固定ネジ221によって固定されている。ところが、このようなネジ止め構造の場合、アイドルシャフト220のネジ挿通孔やギヤカバー219の雌ネジ孔等、種々の加工が必要となる。図１３は、アイドルシャフト220の加工工程を示す説明図である。ここでは、まず、(1)切断・圧造工程にて、棒状のブランク材を所定長さに切断すると共に、一方の端面にネジ孔形成方向を示すネジ孔指標222を凹設する。また、それと共に、シャフトの端部に平面状の挿通孔形成部223を成形する。その後、(2)第１切削加工工程にて、挿通孔形成部223にネジ挿通孔224を形成すると共に、ネジ挿通孔224の一方側（表側）に面取り加工を行う（面取加工(a)）。この第１切削加工を行った後、(3)第２切削加工工程にて、ネジ挿通孔224の他方側（裏側）を面取り加工する（面取加工(b)）。そして、これらの加工を終えた後、(4)熱処理加工を行い、さらに、(5)研削加工にてシャフト表面を仕上げることにより、アイドルシャフト220が形成される。
【０００６】
また、ギヤカバー219側にも、アイドルシャフト220をネジ止めするため、固定ネジ挿入孔225と雌ネジ孔226を形成する。アイドルシャフト220は、ギヤカバー219に形成した軸穴227に挿通され、その状態で固定ネジ221が挿入される。固定ネジ221は、雌ネジ孔226にねじ込まれ、これによりアイドルシャフト220がギヤカバー219に固定される。このように、アイドルシャフト220をギヤカバー219にネジ止め固定するには、多くの加工工程が必要となる。このため、図１２のような始動電動機では、加工コストが高くなり、製品コストが増大するという問題があった。
【０００７】
さらに、図１２の始動電動機では、アイドルシャフト220のネジ止めに際し、ネジ挿通孔224を外部から直視することができない。このため、アイドルシャフト220にネジ孔指標222を設けるなどして、作業性の改善を図っているものの、ギヤカバー219の外側からネジ孔を合わせるのはやはり難しく、組み付け性が良くないという問題もあった。
【０００８】
本発明の目的は、アイドルシャフトの加工工程を削減してコスト低減を図ると共に、アイドルシャフト固定作業の効率化を図ることにある。
【課題を解決するための手段】
【０００９】
本発明の始動電動機は、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機であって、前記アイドルシャフトの外周に形成された止め具取付溝と、前記止め具取付溝に弾性的に嵌合可能な嵌合片を備え、前記アイドルシャフトに回転方向の移動が規制された状態で取り付けられる止め具と、前記止め具取付溝に対応して前記カバー部材に形成され、前記嵌合片の先端部が挿入される止め具係入孔とを有することを特徴とする。
【００１０】
本発明にあっては、アイドルシャフトの外周に止め具取付溝を形成し、この止め具取付溝に、回転方向の移動が規制された状態で止め具を取り付けると共に、カバー部材に止め具の一部が挿入される止め具係入孔を設けることにより、この止め具によって、アイドルシャフトが回り止め、抜け止めされた状態でカバー部材に取り付けられる。このようなアイドルシャフト取付構造を採用することにより、アイドルシャフト自体の構成が簡素化され、アイドルシャフト製造の際に実施される切削加工が不要となり、その分、加工工程が簡略化され、加工コストの低減が図られる。また、アイドルシャフトに止め具を取り付けるだけでアイドルシャフトの組み付けが完了するため、アイドルシャフトの組付作業が容易化され、組付性の改善も図られる。
【００１１】
本発明の他の始動電動機は、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機であって、前記アイドルシャフトの一端側外周に形成された止め具取付溝と、前記止め具取付溝に取り付けられ、前記カバー部材の前記アイドルシャフト一端側の部位と当接して前記アイドルシャフトの軸方向の移動を規制する止め具と、前記アイドルシャフトの他端側端部に形成された嵌合部と、前記カバー部材の前記アイドルシャフト他端側に形成され、前記嵌合部と嵌合して前記アイドルシャフトの回転方向の移動を規制する嵌合穴とを有することを特徴とする。
【００１２】
本発明にあっては、アイドルシャフトの外周に止め具取付溝を形成し、この止め具取付溝に、カバー部材と当接してアイドルシャフトの軸方向の移動を規制する止め具を取り付けると共に、カバー部材に、アイドルシャフトの他端側端部に形成された嵌合部と嵌合してアイドルシャフトの回転方向の移動を規制する嵌合穴を設けることにより、嵌合穴と止め具によって、アイドルシャフトが回り止め、抜け止めされた状態でカバー部材に取り付けられる。このようなアイドルシャフト取付構造を採用することにより、アイドルシャフト自体の構成が簡素化され、アイドルシャフト製造の際に実施される切削加工が不要となり、その分、加工工程が簡略化され、加工コストの低減が図られる。また、嵌合部と嵌合穴とを嵌合させた後、アイドルシャフトに止め具を取り付けるだけでアイドルシャフトの組み付けが完了するため、アイドルシャフトの組付作業が容易化され、組付性の改善も図られる。
【００１３】
また、本発明の他の始動電動機は、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機であって、
前記アイドルシャフトの外周に形成された止め具取付溝と、前記止め具取付溝に弾性的に嵌合可能な嵌合片を備え、前記アイドルシャフトに回転方向の移動が規制された状態で取り付けられる止め具と、前記止め具取付溝に対応して前記カバー部材に形成され、前記止め具が前記カバー部材の外部から挿入可能な止め具挿入溝とを有することを特徴とする。
【００１４】
本発明にあっては、アイドルシャフトの外周に止め具取付溝を形成し、この止め具取付溝に、回転方向の移動が規制された状態でアイドルシャフトに取り付けられる止め具を、カバー部材に形成した止め具挿入溝を介して取り付けることにより、この止め具によって、アイドルシャフトが回り止め、抜け止めされた状態でカバー部材に取り付けられる。このようなアイドルシャフト取付構造を採用することにより、アイドルシャフト自体の構成が簡素化され、アイドルシャフト製造の際に実施される切削加工が不要となり、その分、加工工程が簡略化され、加工コストの低減が図られる。また、アイドルシャフトに止め具挿入溝を介して止め具を取り付けるだけでアイドルシャフトの組み付けが完了するため、アイドルシャフトの組付作業が容易化され、組付性の改善も図られる。
【００１５】
さらに、本発明の他の始動電動機は、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機であって、前記アイドルシャフトの外周に形成された止め具取付溝と、前記止め具取付溝に弾性的に嵌合し前記アイドルシャフトに回転方向の移動が規制された状態で取り付けられるクリップ部と、前記クリップ部と接続され、前記カバー部材に軸方向への移動が規制された状態で取り付けられる装着部とを備えた止め具とを有することを特徴とする。
【００１６】
本発明にあっては、アイドルシャフトの外周に止め具取付溝を形成し、この止め具取付溝に、回転方向の移動が規制された状態でアイドルシャフトに取り付けられるクリップ部と、カバー部材に軸方向への移動が規制された状態で取り付けられる装着部とを備えた止め具を取り付けることにより、この止め具によって、アイドルシャフトが回り止め、抜け止めされた状態でカバー部材に取り付けられる。このようなアイドルシャフト取付構造を採用することにより、アイドルシャフト自体の構成が簡素化され、アイドルシャフト製造の際に実施される切削加工が不要となり、その分、加工工程が簡略化され、加工コストの低減が図られる。また、アイドルシャフトに止め具を取り付けるだけでアイドルシャフトの組み付けが完了するため、アイドルシャフトの組付作業が容易化され、組付性の改善も図られる。
【発明の効果】
【００１７】
本発明の始動電動機によれば、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機にて、アイドルシャフトの外周に止め具取付溝を形成し、この止め具取付溝に、回転方向の移動が規制された状態で止め具を取り付けると共に、カバー部材に止め具の一部が挿入される止め具係入孔を設けたので、この止め具によって、回り止め、抜け止めした状態でアイドルシャフトをカバー部材に取り付けることが可能となる。このようなアイドルシャフト取付構造を採用することにより、アイドルシャフト自体の構成が簡素化され、アイドルシャフト製造の際に実施される切削加工が不要となり、その分、加工工程が簡略化され、加工コストを低減することが可能となる。また、アイドルシャフトに止め具を取り付けるだけでアイドルシャフトの組み付けが完了するため、アイドルシャフトの組付作業が容易化され、組付性の改善を図ることが可能となる。
【００１８】
本発明の他の始動電動機によれば、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機にて、アイドルシャフトの外周に止め具取付溝を形成し、この止め具取付溝に、カバー部材と当接してアイドルシャフトの軸方向の移動を規制する止め具を取り付けると共に、カバー部材に、アイドルシャフトの他端側端部に形成された嵌合部と嵌合してアイドルシャフトの回転方向の移動を規制する嵌合穴を設けたので、嵌合穴と止め具によって、回り止め、抜け止めした状態でアイドルシャフトをカバー部材に取り付けることが可能となる。このようなアイドルシャフト取付構造を採用することにより、アイドルシャフト自体の構成が簡素化され、アイドルシャフト製造の際に実施される切削加工が不要となり、その分、加工工程が簡略化され、加工コストを低減することが可能となる。また、アイドルシャフトに止め具を取り付けるだけでアイドルシャフトの組み付けが完了するため、アイドルシャフトの組付作業が容易化され、組付性の改善を図ることが可能となる。
【００１９】
本発明の他の始動電動機によれば、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機にて、アイドルシャフトの外周に止め具取付溝を形成し、この止め具取付溝に、回転方向の移動が規制された状態でアイドルシャフトに取り付けられる止め具を、カバー部材に形成した止め具挿入溝を介して取り付けるようにしたので、この止め具によって、回り止め、抜け止めした状態でアイドルシャフトをカバー部材に取り付けることが可能となる。このようなアイドルシャフト取付構造を採用することにより、アイドルシャフト自体の構成が簡素化され、アイドルシャフト製造の際に実施される切削加工が不要となり、その分、加工工程が簡略化され、加工コストを低減することが可能となる。また、アイドルシャフトに止め具を取り付けるだけでアイドルシャフトの組み付けが完了するため、アイドルシャフトの組付作業が容易化され、組付性の改善を図ることが可能となる。
【００２０】
本発明の他の始動電動機によれば、電動機によって回転駆動され、軸方向に移動することによりエンジンのリングギヤと噛合するアイドルギヤと、前記アイドルギヤを回転自在かつ軸方向に移動可能に支持するアイドルシャフトと、前記エンジンに取り付けられ、前記アイドルシャフトの両端部を支持するカバー部材とを有してなる始動電動機にて、アイドルシャフトの外周に止め具取付溝を形成し、この止め具取付溝に、回転方向の移動が規制された状態でアイドルシャフトに取り付けられるクリップ部と、カバー部材に軸方向への移動が規制された状態で取り付けられる装着部とを備えた止め具を取り付けるようにしたので、この止め具によって、回り止め、抜け止めした状態でアイドルシャフトをカバー部材に取り付けることが可能となる。このようなアイドルシャフト取付構造を採用することにより、アイドルシャフト自体の構成が簡素化され、アイドルシャフト製造の際に実施される切削加工が不要となり、その分、加工工程が簡略化され、加工コストを低減することが可能となる。また、アイドルシャフトに止め具を取り付けるだけでアイドルシャフトの組み付けが完了するため、アイドルシャフトの組付作業が容易化され、組付性の改善を図ることが可能となる。
【発明を実施するための最良の形態】
【００２１】
以下、本発明の実施例を図面に基づいて詳細に説明する。
【実施例１】
【００２２】
図１は、本発明の実施例１である始動電動機の構成を示す断面図である。図１の始動電動機（スタータ）１は、自動車用エンジンの始動に使用され、停止しているエンジンに対して、燃料の吸入、微粒化、圧縮、点火に必要な回転を与える。
【００２３】
始動電動機１は、大別すると、モータ部２、ギヤ部３、マグネットスイッチ部４、ケース部５及びアイドル部６とから構成されている。モータ部２には駆動源であるモータ（電動機）１１が配設され、ギヤ部３には減速装置である遊星歯車機構１２やオーバーランニングクラッチ１３、ピニオンギヤ１４などが配設されている。アイドル部６には、ピニオンギヤ１４と噛合するアイドルギヤ１５が配設されている。アイドルギヤ１５は、軸方向（図中左右方向）に移動可能に取り付けられており、図中左方向（以下、左右方向は図１を基準とし「図中」の記載は省略する）に移動すると、エンジンのリングギヤ１６と噛合する。モータ１１の回転力は、遊星歯車機構１２及びオーバーランニングクラッチ１３を介してピニオンギヤ１４に伝わり、アイドルギヤ１５からリングギヤ１６へと伝達され、エンジンが始動される。
【００２４】
モータ１１は、円筒形状のモータハウジング２１内にアーマチュア２２を回動自在に配置した構成となっている。モータハウジング２１はモータ１１のヨークを兼ねており、鉄等の磁性体金属によって形成されている。モータハウジング２１の右端部には、金属製のエンドカバー２３が取り付けられる。一方、モータハウジング２１の左端部は、ケース部５のギヤカバー２４に取り付けられる。エンドカバー２３はセットボルト２５によってギヤカバー２４に固定され、モータハウジング２１はエンドカバー２３とギヤカバー２４との間に固定される。
【００２５】
モータハウジング２１の内周面には、周方向に複数個の永久磁石２６が固定されており、永久磁石２６の内側にはアーマチュア２２が配設される。アーマチュア２２は、モータシャフト２７に固定されたアーマチュアコア２８と、アーマチュアコア２８に巻装されたアーマチュアコイル２９とから構成されている。モータシャフト２７の右端部は、エンドカバー２３に取り付けられたメタル軸受３１によって回動自在に支持されている。一方、モータシャフト２７の左端部は、ピニオンギヤ１４等が取り付けられたドライブシャフト（出力軸）３２の端部に回動自在に支持されている。ピニオンシャフト３２の右端部には軸受部３３が凹設されており、モータシャフト２７はそこに取り付けられたメタル軸受３４によって回動自在に支持される。
【００２６】
アーマチュアコア２８の一端側には、モータシャフト２７に外嵌固定されたコンミテータ３５が隣接配置されている。コンミテータ３５の外周面には、導電材にて形成されたコンミテータ片３６が複数個取り付けられており、各コンミテータ片３６にはアーマチュアコイル２９の端部が固定されている。モータハウジング２１の左端部には、ブラシホルダ３７が取り付けられている。ブラシホルダ３７には、周方向に間隔をあけて、ブラシ収容部３８が４個配置されている。各ブラシ収容部３８にはそれぞれブラシ３９が出没自在に内装されている。ブラシ３９の突出先端部（内径側先端部）は、コンミテータ３５の外周面に摺接している。
【００２７】
ブラシ３９の後端側には図示しないピグテールが取り付けられており、ブラシホルダ３７の導電プレート４１と電気的に接続されている。導電プレート４１にはスイッチ部４２が設けられており、スイッチプレート４３が導電プレート４１に接触すると電源ターミナル４４とブラシ３９との間が電気的に接続され、コンミテータ３５に電源が供給される。スイッチプレート４３はスイッチシャフト４５に取り付けられており、マグネットスイッチ部４が通電されると、スイッチシャフト４５が左方に移動し、スイッチプレート４３が導電プレート４１に接触するようになっている。
【００２８】
ギヤ部３の遊星歯車機構１２には、インターナルギヤユニット４６とドライブプレートユニット４７が設けられている。インターナルギヤユニット４６は、ギヤカバー２４の右端部に固定されており、その内周側には内歯歯車４８が形成されている。インターナルギヤユニット４６の中央にはメタル軸受４９が内装されており、ピニオンシャフト３２の右端側が回動自在に支持されている。ドライブプレートユニット４７は、ピニオンシャフト３２の右端部に固定されており、遊星歯車５１が３個等分間隔で取り付けられている。遊星歯車５１は、ベースプレート５２に固定された支持ピン５３に、メタル軸受５４を介して回動自在に支持されている。遊星歯車５１は内歯歯車４８と噛合している。
【００２９】
モータシャフト２７の左端部には、太陽歯車５５が形成されている。太陽歯車５５は遊星歯車５１と噛合しており、遊星歯車５１は、太陽歯車５５と内歯歯車４８との間で、自転しつつ公転する。モータ１１が作動すると、モータシャフト２７と共に太陽歯車５５が回転し、太陽歯車５５の回転に伴い、遊星歯車５１が内歯歯車４８と噛み合いながら太陽歯車５５の周りを公転する。これにより、ピニオンシャフト３２に固定されたベースプレート５２が回転し、モータシャフト２７の回転が減速されてピニオンシャフト３２に伝達される。
【００３０】
オーバーランニングクラッチ１３は、遊星歯車機構１２によって減速された回転をピニオンギヤ１４に対し一回転方向に伝達する。オーバーランニングクラッチ１３は、クラッチアウタ５６とクラッチインナ５７との間に、ローラ５８及びクラッチスプリング５９を配した構成となっている。クラッチアウタ５６は、ボス部５６ａとクラッチ部５６ｂとからなり、ボス部５６ａは、ピニオンシャフト３２のヘリカルスプライン部６１に取り付けられている。ボス部５６ａの内周側には、ヘリカルスプライン部６１と噛み合うスプライン部６２が形成されている。これにより、クラッチアウタ５６は、ピニオンシャフト３２上をヘリカルスプライン部６１に沿って軸方向に移動可能となっている。
【００３１】
ピニオンシャフト３２にはストッパ６３が取り付けられている。ストッパ６３は、ピニオンシャフト３２に装着されたサークリップ６４によって軸方向の移動が規制されている。ストッパ６３には、ギヤリターンスプリング６５の一端側が取り付けられている。ギヤリターンスプリング６５の他端側は、ボス部５６ａの内端壁６６に当接している。クラッチアウタ５６は、このギヤリターンスプリング６５によって右方向に付勢されており、通常時（非通電時）には、クラッチアウタ５６はギヤカバー２４に固定されたクラッチストッパ６７に当接した位置で保持される。
【００３２】
クラッチアウタ５６のクラッチ部５６ｂ内周には、ピニオンギヤ１４と一体に形成されたクラッチインナ５７が配設されている。クラッチアウタ５６とクラッチインナ５７の間には、ローラ５８及びクラッチスプリング５９が複数組配置されている。また、クラッチ部５６ｂの外周にはクラッチカバー６８が外装されており、クラッチ部５６ｂの左端面とクラッチカバー６８との間には、クラッチワッシャ６９が取り付けられている。このクラッチワッシャ６９によって、ローラ５８及びクラッチスプリング５９は、クラッチ部５６ｂの内周側に、軸方向の移動を規制された状態で収容される。
【００３３】
クラッチ部５６ｂの内周壁はカム面となっており、楔状斜面部と曲面部が形成されている。ローラ５８は、通常、クラッチスプリング５９によって曲面部側に押されている。クラッチアウタ５６が回転し、クラッチスプリング５９の付勢力に抗して、ローラ５８が楔状斜面部とクラッチインナ５７の外周面との間に挟持されると、クラッチインナ５７はローラ５８を介してクラッチアウタ５６と一体に回転する。これにより、モータ１１が作動しピニオンシャフト３２が回転すると、その回転はクラッチアウタ５６からローラ５８を介してクラッチインナ５７に伝達され、ピニオンギヤ１４が回転する。
【００３４】
これに対し、エンジンが始動し、クラッチインナ５７がクラッチアウタ５６よりも早く回転すると、ローラ５８は曲面部側に移動し、クラッチインナ５７はクラッチアウタ５６に対し空転状態となる。すなわち、クラッチインナ５７がオーバーラン状態となると、ローラ５８が楔状斜面部とクラッチインナ外周面との間には挟持されず、クラッチインナ５７の回転はクラッチアウタ５６には伝達されない。従って、エンジン始動後、エンジン側からより高い回転数でクラッチインナ５７が回されても、その回転はオーバーランニングクラッチ１３にて遮断され、モータ１１側には伝達されない。
【００３５】
ピニオンギヤ１４は冷間鍛造によって形成された鋼製部材であり、アイドルギヤ１５と噛合している。ピニオンギヤ１４とアイドルギヤ１５には、クロム鋼（例えば、SCr 420H）に浸炭処理を施したものが使用されている。ピニオンギヤ１４はクラッチインナ５７と一体に成形されており、クラッチインナ５７の左方には、ギヤ部７１とボス部９４が形成されている。ボス部９４の外径はギヤ部７１の歯底外径よりも小径となっており、ピニオンギヤ１４を容易に冷鍛加工できるようになっている。ピニオンギヤ１４は、冷鍛加工にて形成されているため、ギヤ部７１の軸方向寸法の精度が高く、ピニオンギヤ１４とアイドルギヤ１５間など部品間のガタが小さく、摩耗や破損が抑えられている。また、冷間鍛造によってギヤ部７１を形成することにより、加工硬化が生じ、ギヤ部７１の強度が増大し、ギヤ連結部の強度向上も図られている。
【００３６】
ボス部９４には、鋼製のピニオンワッシャ７２が外挿されている。ピニオンワッシャ７２は、ボス部９４に装着されたＣリング７３によって軸方向に抜け止め固定されている。ピニオンワッシャ７２の外周部は、アイドルギヤ１５の左側面に当接しており、エンジン始動後、始動電動機１が停止する際に、ピニオンギヤ１４と共にアイドルギヤ１５を右方に移動させ、アイドルギヤ１５をリングギヤ１６から離脱させる。また、ギヤ部７１の右側にはフランジ部９５が形成されている。
【００３７】
ピニオンギヤ１４の内径側には、シャフト孔７４とスプリング収容部７５が形成されている。シャフト孔７４にはピニオンギヤメタル７６が取り付けられており、ピニオンギヤ１４は、ピニオンギヤメタル７６を介してピニオンシャフト３２に回動自在に支持される。スプリング収容部７５はクラッチインナ５７の内周側に形成されており、そこには、ストッパ６３やギヤリターンスプリング６５が収容される。
【００３８】
マグネットスイッチ部４は、遊星歯車機構１２の左方にモータ１１や遊星歯車機構１２と同心状に配設されている。マグネットスイッチ部４は、ギヤカバー２４に固定された鋼製の固定部７７と、固定鉄心８２に沿って左右方向に移動自在に配置された可動部７８とからなる。固定部７７には、ギヤカバー２４に固定されたケース７９と、ケース７９内に収容されたコイル８１及びケース７９の内周側に取り付けられた固定鉄心８２が設けられている。可動部７８には、スイッチシャフト４５が取り付けられた可動鉄心８３が設けられ、可動鉄心８３の内周側にはギヤプランジャ８４が取り付けられている。可動鉄心８３の外周側（図中下端側）には、スイッチリターンスプリング９０が取り付けられている。スイッチリターンスプリング９０の他端側はギヤカバー２４に当接しており、可動鉄心８３は右方に付勢されている。
【００３９】
可動鉄心８３の内周にはさらに、ブラケットプレート８５が固定されている。ブラケットプレート８５には、プランジャスプリング８６の一端がカシメ固定されている。プランジャスプリング８６の他端側は、イグニッションキースイッチがＯＦＦのとき（図１の状態のとき）は、ギヤプランジャ８４に当接しており、ギヤプランジャ８４はプランジャスプリング８６によって左方に付勢されている。ギヤプランジャ８４はピニオンシャフト３２に軸方向に移動可能取り付けられており、可動鉄心８３の内周面との間には摺動鉄心８７が介設されている。
【００４０】
ケース部５はアルミダイカスト製のギヤカバー２４を備えており、ギヤカバー２４には、メタル軸受８８を介してピニオンシャフト３２の左端側が回動自在に支持されている。ギヤカバー２４にはまた、アイドルギヤ１５を支持するアイドルシャフト８９が取り付けられている。アイドルシャフト８９の左端側は、図示しないアイドルシャフトストッパにて抜け止めされている。ギヤカバー２４内には、前述のように、合成樹脂製（例えば、ガラス繊維強化ポリアミド）のクラッチストッパ６７やケース７９等が固定され、右端面側には、モータハウジング２１やエンドカバー２３がセットボルト２５によって固定されている。
【００４１】
アイドル部６には、アイドルギヤ１５が配設されている。ギヤカバー２４にはアイドルギヤ取付部100が設けられており、そこにアイドルギヤ１５がアイドルシャフト８９に軸支された状態で配設される。アイドルギヤ１５には、ギヤ部９２とボス部９３が設けられており、ギヤ部９２はピニオンギヤ１４のギヤ部７１と噛合している。ボス部９３には、合成樹脂製（例えば、ガラス繊維強化ポリアミド）のカラー９６が外装されている。カラー９６は、アイドルギヤ１５の端面とピニオンギヤ１４のフランジ部９５との間に介設されている。カラー９６と、フランジ部９５及びアイドルギヤ１５との間には、摺動性向上のため潤滑剤としてグリスが塗布される。カラー９６の右端部には、ボス部９３に取り付けられたＣリング９７が当接している。カラー９６は、このＣリング９７によって軸方向に抜け止め固定されている。
【００４２】
アイドルギヤ１５は、アイドルシャフト８９にメタル軸受９１を介して回動自在に支持されている。アイドルシャフト８９は、ギヤカバー２４に設けられた軸受部９８,９９に軸支されている。軸受部９８,９９にはそれぞれ軸孔101，軸穴102が形成されており、アイドルシャフト８９は、アイドルギヤ１５を軸支した状態で軸孔101,軸穴102間に取り付けられ、止め具103にて固定される。図２は、アイドルシャフト８９の構成を示す斜視図である。図２に示すように、アイドルシャフト８９の軸受部９９側には、止め具103が取り付けられる止め具取付溝104が設けられている。止め具取付溝104は、アイドルシャフト８９の外周に平行な２個のスリットを凹設する形で形成されている。止め具取付溝104部分の断面は、対向する長辺が直線となった略小判形（二方取り形状）となっており、その側面には平面部105が形成されている。
【００４３】
これに対し、ギヤカバー２４の軸受部９９には、止め具取付溝104に対応して止め具係入穴106が設けられている。軸受部９９の左端面（アイドルギヤ対向面）９９ａには、下部を切り欠く形で段部107が設けられており、止め具係入穴106はこの段部107の下面に開口している。止め具係入穴106は、段部107の奥部に配されており、段部下面から図中上方に向かって延設されている。段部107と止め具係入穴106は共に、ギヤカバー２４を鋳造する際に形成される。
【００４４】
アイドルシャフト８９は、軸孔101側からギヤカバー２４に挿入され、軸穴102に挿入される。アイドルシャフト８９を軸穴102の奥部まで挿入すると、止め具取付溝104の右端がちょうど軸受部９９の左端面９９ａに臨む位置に配され、このとき、止め具取付溝104は止め具係入穴106の直下に配置される。この状態で、アイドルシャフト８９の下方から止め具103を止め具取付溝104に取り付ける。図３は、アイドルシャフト８９に止め具103を取り付けた状態を示す説明図である。図３に示すように、止め具103は、略Ｕ字形となっており、図中左右方向に弾性的に変位可能な嵌合片108を備えている。止め具取付溝104に止め具103を取り付けると、この嵌合片108が止め具取付溝104の平面部105と弾性的に嵌合する。すなわち、嵌合片108が平面部105を両側から挟持する形で取り付けられ、これにより、止め具103は回転方向の移動が規制された状態でアイドルシャフト８９に装着される。
【００４５】
一方、アイドルシャフト８９に止め具103を取り付けると、図１,３に示すように、嵌合片108の先端部（図中上端部）108aは、止め具係入穴106内に挿入される。すなわち、止め具103は、嵌合片108の先端部108aが止め具係入穴106内に挿入された状態でアイドルシャフト８９に装着される。これにより、アイドルシャフト８９は、軸方向への移動が規制され、ギヤカバー２４に対して抜け止めされる。また、同時に、アイドルシャフト８９の回転方向の移動も規制され、アイドルシャフト８９はギヤカバー２４に対して回り止めされた状態となる。このようにしてアイドルシャフト８９をギヤカバー２４に取り付けた後、アイドルシャフト８９の軸受部９８側の端部には、ゴム製の防塵キャップ109が取り付けられる。
【００４６】
このように、アイドルシャフト８９は、止め具103によって、回り止め、抜け止めされた状態でギヤカバー２４に取り付けられる。そして、このようなアイドルシャフト取付構造を採用すると、従来の取付構造を採用した場合に比してアイドルシャフトの構成が簡素化され、アイドルシャフトのネジ挿通孔切削加工や面取り加工が不要となり、その分、加工工程が簡略化されると共に、シャフトの組付性も向上する。
【００４７】
図４は、アイドルシャフト８９の加工工程を示す説明図である。ここでは、まず、(1)切断・圧造工程にて、棒状のブランク材を所定長さに切断すると共に、一方の端面に、平面部105の方向を示す溝指標111を凹設する。この溝指標111は、図１３の工程(1)にて形成したネジ孔指標222と同一のものでも良いが、単なるスリ割り状のものでも良い。また、指標の方向も、平面部105の方向に沿って図４のものと直交する方向に形成しても良い。切断・圧造工程の後、(2)二方取り工程にて、アイドルシャフト８９の外周をプレスにて押圧し、止め具取付溝104の平面部105を形成する。この際、アイドルシャフト８９には、平面部形成に伴って、シャフト外周に図４に示すようなバリ112が形成される。そこで、(3)丸転造工程にて、このバリ112を潰してシャフト外周の突出物を除去する。そして、これらの加工を終えた後、(4)熱処理加工を行い、さらに、(5)研削加工にてシャフト表面を仕上げることにより、アイドルシャフト８９が形成される。
【００４８】
図１３と図４を比較すれば明らかなように、アイドルシャフト８９では、図１３における(2)(3)の第１，第２切削加工工程が不要となる。この場合、アイドルシャフトの製造に要する工程数は図１３の場合と同じ５工程ではあるが、当該アイドルシャフト８９には、切削加工はなく、全てプレス系の加工にて製造することができる。従って、アイドルシャフト８９の製造工数を従来よりも削減することができ、シャフト加工コストを低減させることが可能となる。また、ギヤカバー２４にもネジ挿入用の横孔が不要となり、その分、加工コストの低減が図られる。なお、止め具係入穴106は、ギヤカバー鋳造時に型成形可能であるため、それ自体は特に工数増加の要因とはならない。
【００４９】
さらに、アイドルシャフト８９は、軸孔101,軸穴102にシャフトを挿入した後、止め具103を装着するだけで、抜け止め、回り止めされた状態でギヤカバー２４に組み付けられるため、アイドルシャフト８９の組付作業が非常に容易であり、組付性の改善も図られる。なお、アイドルシャフト８９の中心位置精度も、専ら軸孔101,軸穴102の精度に依存するため、芯出しが容易であり、しかも、径方向からネジ止めを行わないため芯ズレも生じにくい。このため、スタータ作動時における作動音や、車両の振動による振動音を低減させることができ、装置の静音化も図られる。
【００５０】
次に、このような始動電動機１を用いたエンジン始動動作について説明する。まず、自動車のイグニッションキースイッチがＯＦＦされているときは、図１のように、ギヤリターンスプリング６５の付勢力によって、クラッチアウタ５６はクラッチストッパ６７に当接した状態にある。このとき、スイッチプレート４３は導電プレート４１から離れており、モータ１１への給電は行われない。また、アイドルギヤ１５は、右方の離脱位置にあり、リングギヤ１６とは噛み合っていない状態にある。これに対し、イグニッションキースイッチをＯＮすると、アイドルギヤ１５が左方へ移動し、リングギヤ１６に噛み合う。
【００５１】
すなわち、イグニッションキースイッチをＯＮすると、まず、コイル８１に電流が流れ、マグネットスイッチ部４に吸引力が発生する。コイル８１が励磁されると、ケース７９及び固定鉄心８２を通る磁路が形成され、可動鉄心８３が左方に吸引される。可動鉄心８３がスイッチリターンスプリング９０の付勢力に抗して左方に移動すると、スイッチシャフト４５も左方へ移動し、スイッチプレート４３が導電プレート４１に接触して接点が閉じる。これにより、電源ターミナル４４とブラシ３９との間が電気的に接続され、コンミテータ３５に電源が供給されてモータ１１が起動しアーマチュア２２が回転する。また、ブラケットプレート８５も左方へ移動し、それに伴って、プランジャスプリング８６も押し縮められる。
【００５２】
アーマチュア２２が回転すると、遊星歯車機構１２を介してピニオンシャフト３２が回転する。ピニオンシャフト３２の回転に伴い、ヘリカルスプライン部６１に取り付けられたクラッチアウタ５６もまた回転する。ヘリカルスプライン部６１は、ピニオンシャフト３２の回転方向を考慮してねじり方向が設定されており、クラッチアウタ５６の回転数が増大すると、その慣性マスによって、クラッチアウタ５６がヘリカルスプライン部６１に沿って左方に移動する（静止位置→作動位置）。クラッチアウタ５６が左方へ飛び出すと、ピニオンギヤ１４もクラッチアウタ５６と共に左方に移動する。このとき、ギヤリターンスプリング６５もクラッチアウタ５６に押されて縮められる。
【００５３】
クラッチアウタ５６が左方へ移動すると、アイドルギヤ１５もまたピニオンフランジ部９５に押されて左方へ移動し、リングギヤ１６に噛み合う。アイドルギヤ１５がリングギヤ１６と噛み合うと、モータ１１の回転がリングギヤ１６に伝達され、リングギヤ１６が回転する。リングギヤ１６はエンジンのクランク軸に接続されており、リングギヤ１６の回転に伴ってクランク軸が回転され、エンジンが始動される。エンジンが始動すると、リングギヤ１６からアイドルギヤ１５を介してピニオンギヤ１４が高回転で回転されるが、オーバーランニングクラッチ１３の作用によって、その回転はモータ１１側には伝達されない。
【００５４】
また、クラッチアウタ５６が左方に移動すると、押し縮められていたプランジャスプリング８６の付勢力によってギヤプランジャ８４が左方に移動し、ギヤプランジャ８４はクラッチアウタ５６の右端面に当接する。このとき、プランジャスプリング８６は自然長状態となり、クラッチアウタ５６に当接した状態のギヤプランジャ８４とプランジャスプリング８６との間には、若干の隙間が生じる。
【００５５】
ここで、エンジンが始動するとピニオンギヤ１４は高回転で回転され、オーバーランニングクラッチ１３は空転方向に回転される。オーバーランニングクラッチ１３が空転方向に回されるとクラッチ内に空転トルクが生じ、クラッチアウタ５６には切れトルクと呼ばれる回転力が働く。この回転力により、クラッチアウタ５６にはヘリカルスプライン部６１を介して右方へのスラスト力が生じ、クラッチアウタ５６が右方へ移動しアイドルギヤ１５がリングギヤ１６から離脱するおそれがある。このため、始動電動機１では、ギヤプランジャ８４によってクラッチアウタ５６を作動位置にて保持し、アイドルギヤ１５の右方への移動を規制してアイドルギヤ１５の離脱を防止している。
【００５６】
一方、エンジンが始動しイグニッションキースイッチがＯＦＦされると、マグネットスイッチ部４への通電も停止され、その吸引力も消滅する。すると、スイッチリターンスプリング９０の付勢力によってブラケットプレート８５が右方に押され、それまで固定鉄心８２による吸引力にて左方に保持されていた可動鉄心８３が右方に移動する。可動鉄心８３が右方に移動すると、スイッチシャフト４５も右方へ移動し、スイッチプレート４３が導電プレート４１から離れ接点が開く。これにより、モータ１１に対する給電が遮断され、ピニオンシャフト３２の回転が停止し、クラッチアウタ５６の回転も停止する。
【００５７】
クラッチアウタ５６の回転が停まると、その慣性マスによる軸方向への移動力も消滅する。このため、押し縮められていたギヤリターンスプリング６５の付勢力によって、クラッチアウタ５６は、ヘリカルスプライン部６１に沿って作動位置から静止位置へと右方へ移動する。このとき、ギヤプランジャ８４もクラッチアウタ５６に押されて図１の状態に戻る。なお、ギヤリターンスプリング６５の付勢力は、この時点におけるプランジャスプリング８６の付勢力よりも大きくなるように設定されている。
【００５８】
クラッチアウタ５６が右方に移動すると、ピニオンギヤ１４もまた右方に移動する。ピニオンギヤ１４が右方に移動すると、ピニオンワッシャ７２がアイドルギヤ１５の左端面に当接する。これにより、アイドルギヤ１５はピニオンワッシャ７２によって右方に移動し、アイドルギヤ１５がリングギヤ１６から離脱し、図１の状態となる。当該始動電動機１では、このようなアイドルギヤ１５の移動に際しても、アイドルシャフト８９の芯ズレが少なく、アイドルギヤ１５と他のギヤとの間のピッチ精度も高いため、作動音や振動音が小さく抑えられる。
【実施例２】
【００５９】
次に本発明の実施例２である始動電動機について説明する。図５は、その要部の構成を示す説明図、図６（ａ）は図５のＡ−Ａ断面、（ｂ）はＢ−Ｂ断面の断面図である。なお、以下の実施例では、実施例１と同様の部材、部分については同一の符号を付し、その説明は省略する。
【００６０】
図６に示すように、実施例２のアイドルシャフト115には、その軸受部９８側の端部に、Ｅリング装着溝116が形成されている。Ｅリング装着溝116は、アイドルシャフト115の周方向に沿ってシャフト全周に亘って設けられており、溝断面は円形に形成されている。また、アイドルシャフト115の軸受部９９側の端部には、二方取り形状の嵌合部117が形成されている。これに対し、ギヤカバー２４の軸受部９９には、嵌合部117に合わせて、軸穴102の奥部に嵌合穴118が設けられている。嵌合穴118は、嵌合部117と同様、断面が二方取り形状となっており、ギヤカバー２４の鋳造時に軸穴102と共に成形される。
【００６１】
アイドルシャフト115は、軸孔101側からギヤカバー２４に挿入され、軸穴102に挿入される。この際、嵌合部117を嵌合穴118に嵌め合わせる。これにより、アイドルシャフト115の回転方向の移動も規制され、アイドルシャフト115はギヤカバー２４に対して回り止めされる。また、アイドルシャフト115を軸穴102の奥部まで挿入し、嵌合部117を嵌合穴118に嵌め合わせると、Ｅリング装着溝116の左端がちょうど軸受部９８の右端面（アイドルギヤ対向面）９８ａに臨む位置に配される。そこで、この状態にて、アイドルシャフト115の下方からＥリング119をＥリング装着溝116に取り付けると、図５及び図６（ａ）の状態となり、アイドルシャフト115は、軸方向左側への移動が規制される。この場合、アイドルシャフト115の軸方向右側への移動は軸穴102によって規制されており、従って、このＥリング119によって、アイドルシャフト115はギヤカバー２４に対して抜け止めされた状態となる。
【００６２】
一方、アイドルシャフト115は、次のようにして形成される。ここでは、まず、(1)切断・圧造工程にて、棒状のブランク材を所定長さに切断する。次に、(2)二方取り工程にて、アイドルシャフト115の外周をプレスにて押圧し、図４と同様の形で右端面に嵌合部117を形成する。二方取り工程の後、(3)丸転造工程にてＥリング装着溝116を形成する。前述のように、二方取り工程では、アイドルシャフト115の外周にはバリが形成されるが、丸転造工程では、このバリも潰してシャフト外周の突出物を除去する。そして、これらの加工を終えた後、(4)熱処理加工を行い、さらに、(5)研削加工にてシャフト表面を仕上げることにより、アイドルシャフト115が形成される。
【００６３】
このように、実施例２の場合も、アイドルシャフト115の製造工程に切削加工工程が存在しておらず、アイドルシャフト115の製造工数を削減し、シャフト加工コストを低減させることが可能となる。また、この場合も、ギヤカバー２４にはネジ挿入用の横孔が不要であり、その分のコストも削減される。さらに、アイドルシャフト115は、軸孔101,軸穴102にシャフトを挿入して嵌合部117を嵌合穴118に嵌め合わせた後、Ｅリング119を装着するだけで抜け止め、回り止めされた状態でギヤカバー２４に組み付けられるため、アイドルシャフト115の組付性も改善される。加えて、アイドルシャフト115の芯出しも容易であり、芯ズレも生じにくい。
【実施例３】
【００６４】
次に本発明の実施例３である始動電動機について説明する。図７は、その要部の構成を示す説明図、図８は、図７のＣ−Ｃ断面の断面図である。図８に示すように、実施例３のアイドルシャフト121には、その軸受部９９側の端部に、止め具122が装着される止め具取付溝123が形成されている。また、ギヤカバー２４の軸受部９９には、止め具取付溝123に合わせて、スリット（止め具挿入溝）124が設けられている。止め具取付溝123は、実施例１の止め具取付溝104と同様の二方取り形状となっている。また、止め具122も、実施例１の止め具103と同様の略Ｕ字形となっている。
【００６５】
アイドルシャフト121は、前述同様、軸孔101，軸穴102に挿入される。ここでは、アイドルシャフト121を軸穴102の奥部まで挿入すると、止め具取付溝123がちょうどスリット124の直上位置に配される。この状態で、スリット124に軸受部９９の外部下方から止め具122を挿入し、アイドルシャフト121の下方から、止め具122を止め具取付溝123に取り付ける。これにより、図７,８の状態となり、アイドルシャフト121は、軸方向への移動が規制され、ギヤカバー２４に対して抜け止めされる。また、実施例１の場合と同様に、止め具122は回転方向の移動が規制された状態でアイドルシャフト121に装着されているため、スリット124を介して止め具122を止め具取付溝123に装着すると、アイドルシャフト121の回転方向の移動も規制され、アイドルシャフト121はギヤカバー２４に対して回り止めされた状態となる。
【００６６】
一方、実施例３のアイドルシャフト121は、実施例１のアイドルシャフト８９と同様の工程（図４）にて形成される。すなわち、(1)切断・圧造工程の後、(2)二方取り工程及び(3)丸転造工程によって止め具取付溝123を形成し、その後、(4)熱処理加工、及び、(5)研削加工を行うことにより、アイドルシャフト121が形成される。従って、実施例３の場合も、アイドルシャフト115の製造工程には切削加工工程がなく、シャフト加工コストの低減が図られる。また、この場合も、ギヤカバー２４にはネジ挿入用の横孔が不要であり、その分のコストも削減される。さらに、アイドルシャフト121は、軸孔101,軸穴102にシャフトを挿入した後、止め具122を装着するだけで、抜け止め、回り止めされた状態でギヤカバー２４に組み付けられるため、アイドルシャフト115の組付性も改善される。加えて、アイドルシャフト115の芯出しも容易であり、芯ズレも生じにくい。
【実施例４】
【００６７】
次に本発明の実施例４である始動電動機について説明する。図９は、その要部の構成を示す説明図、図１０は、図９のＤ−Ｄ断面の断面図である。図９に示すように、実施例４のアイドルシャフト125には、実施例１のアイドルシャフト８９と同様に、その軸受部９９側に止め具取付溝126が形成されている。止め具取付溝126は、実施例１の止め具取付溝104と同様の二方取り形状となっている。
【００６８】
実施例４の始動電動機では、止め具取付溝126に嵌合される止め具127は、図９に示すように、クリップ部128と、クリップ部128の下端から右方に延びる軸受装着部129とから構成されている。図１１は、止め具127の構成を示す斜視図である。図１１に示すように、クリップ部128は、実施例１の止め具103と同様の形態となっており、略Ｕ字形に形成され、図１０の左右方向に弾性的に変位可能な嵌合片132を備えている。止め具取付溝126にクリップ部128を嵌合させると、嵌合片132が止め具取付溝126と弾性的に嵌合し、前述同様、クリップ部128は回転方向の移動が規制された状態でアイドルシャフト125に装着される。
【００６９】
また、軸受装着部129は、クリップ部128の下端に接続されており、軸方向（アイドルシャフト125の延伸方向）に沿って延びる装着片130と、装着片130の先端に形成され上方に延びる係合部131とから構成されている。クリップ部128を止め具取付溝126に嵌合させると、軸受装着部129は、軸受部９９の下面９９ｂに接触する形で取り付けられる。その際、係合部131は、軸受部９９の右端面９９ｃに係止され、装着片130は下面９９ｂに密着する。すなわち、止め具127は、図９に示すように、クリップ部128と軸受装着部129及び係合部131によって軸受部９９の下部を挟み込むような形となり、図中左右方向（軸方向）の移動が規制された状態で軸受部９９に装着される。これにより、アイドルシャフト125は、軸方向への移動が規制され、ギヤカバー２４に対して抜け止めされる。
【００７０】
また、実施例１の場合と同様に、クリップ部128は、回転方向の移動が規制された状態でアイドルシャフト125に装着されている。このため、アイドルシャフト125を軸孔101，軸穴102に挿入し、止め具127をアイドルシャフト125に装着すると、アイドルシャフト125の回転方向の移動も規制され、アイドルシャフト125はギヤカバー２４に対して回り止めされた状態となる。
【００７１】
一方、実施例４のアイドルシャフト125もまた、実施例１のアイドルシャフト８９と同様の工程（図４）にて形成されるため、前述同様、シャフト加工コストの低減が図られる。また、この場合も、ギヤカバー２４にはネジ挿入用の横孔が不要であり、その分のコストも削減される。さらに、アイドルシャフト121は、軸孔101,軸穴102にシャフトを挿入した後、止め具127を装着するだけで、抜け止め、回り止めされた状態でギヤカバー２４に組み付けられるため、アイドルシャフト115の組付性も改善される。加えて、アイドルシャフト115の芯出しも容易であり、芯ズレも生じにくい。
【００７２】
本発明は前記実施例に限定されるものではなく、その要旨を逸脱しない範囲で種々変更可能であることは言うまでもない。
例えば、前述の実施例では、遊星歯車機構１２を介してモータ１１によって回転されるピニオンシャフト３２にオーバーランニングクラッチ１３を取り付ける形態の始動電動機を示したが、モータシャフト２７の先端部にオーバーランニングクラッチを装着した形態の始動電動機や、レバー等によってアイドルギヤを移動させる形態の始動電動機にも本発明は適用可能である。
【図面の簡単な説明】
【００７３】
【図１】本発明の実施例１である始動電動機の構成を示す断面図である。
【図２】図１の始動電動機にて使用されるアイドルシャフトの構成を示す斜視図である。
【図３】アイドルシャフトに止め具を取り付けた状態を示す説明図である。
【図４】アイドルシャフトの加工工程を示す説明図である。
【図５】本発明の実施例２である始動電動機の要部の構成を示す説明図である。
【図６】（ａ）は図５のＡ−Ａ断面、（ｂ）はＢ−Ｂ断面の断面図である。
【図７】本発明の実施例３である始動電動機の要部の構成を示す説明図である。
【図８】図７のＣ−Ｃ断面の断面図である。
【図９】本発明の実施例４である始動電動機の要部の構成を示す説明図である。
【図１０】図９のＤ−Ｄ断面の断面図である。
【図１１】図９の始動電動機にて使用される止め具の構成を示す斜視図である。
【図１２】従来の始動電動機の構成を示す説明図である。
【図１３】従来の始動電動機におけるアイドルシャフトの加工工程を示す説明図である。
【符号の説明】
【００７４】
１    始動電動機
２    モータ部
３    ギヤ部
４    マグネットスイッチ部
５    ケース部
６    アイドル部
１１    モータ
１２    遊星歯車機構
１３    オーバーランニングクラッチ
１４    ピニオンギヤ
１５    アイドルギヤ
１６    リングギヤ
２１    モータハウジング
２２    アーマチュア
２３    エンドカバー
２４    ギヤカバー（カバー部材）
２５    セットボルト
２６    永久磁石
２７    モータシャフト
２８    アーマチュアコア
２９    アーマチュアコイル
３１    メタル軸受
３２    ピニオンシャフト
３３    軸受部
３４    メタル軸受
３５    コンミテータ
３６    コンミテータ片
３７    ブラシホルダ
３８    ブラシ収容部
３９    ブラシ
４１    導電プレート
４２    スイッチ部
４３    スイッチプレート
４４    電源ターミナル
４５    スイッチシャフト
４６    インターナルギヤユニット
４７    ドライブプレートユニット
４８    内歯歯車
４９    メタル軸受
５１    遊星歯車
５２    ベースプレート
５３    支持ピン
５４    メタル軸受
５５    太陽歯車
５６    クラッチアウタ
５６ａ  ボス部
５６ｂ  クラッチ部
５７    クラッチインナ
５８    ローラ
５９    クラッチスプリング
６１    ヘリカルスプライン部
６２    スプライン部
６３    ストッパ
６４    サークリップ
６５    ギヤリターンスプリング
６６    内端壁
６７    クラッチストッパ
６８    クラッチカバー
６９    クラッチワッシャ
７１    ギヤ部
７２    ピニオンワッシャ
７３    Ｃリング
７４    シャフト孔
７５    スプリング収容部
７６    ピニオンギヤメタル
７７    固定部
７８    可動部
７９    ケース
８１    コイル
８２    固定鉄心
８３    可動鉄心
８４    ギヤプランジャ
８５    ブラケットプレート
８６    プランジャスプリング
８７    摺動鉄心
８８    メタル軸受
８９    アイドルシャフト
９０    スイッチリターンスプリング
９１    メタル軸受
９２    ギヤ部
９３    ボス部
９４    ボス部
９５    フランジ部
９６    カラー
９７    Ｃリング
９８    軸受部
９９    軸受部
９９ａ  左端面
９９ｂ  下面
９９ｃ  右端面
100     アイドルギヤ取付部
101     軸孔
102     軸穴
103     止め具
104     止め具取付溝
105     平面部
106     止め具係入穴
107     段部
108     嵌合片
108a    先端部
109     防塵キャップ
111     溝指標
112     バリ
115     アイドルシャフト
116     Ｅリング装着溝
117     嵌合部
118     嵌合穴
119     Ｅリング
121     アイドルシャフト
122     止め具
123     止め具取付溝
124     スリット
125     アイドルシャフト
126     止め具取付溝
127     止め具
128     クリップ部
129     軸受装着部
130     装着片
131     係合部
132     嵌合片
201     始動電動機
202     モータ部
203     ギヤ部
204     マグネットスイッチ部
205     ケース部
206     アイドル部
211     モータ
212     遊星歯車機構
213     オーバーランニングクラッチ
214     ピニオンギヤ
215     アイドルギヤ
216     リングギヤ
217     フランジ部
218     ヘリカルスプライン部
219     ギヤカバー
220     アイドルシャフト
221     固定ネジ
222     ネジ孔指標
223     挿通孔形成部
224     ネジ挿通孔
225     固定ネジ挿入孔
226     雌ネジ孔
227     軸穴
【図１】
2008240538.tif 000003
【図２】
2008240538.tif 000004
【図３】
2008240538.tif 000005
【図４】
2008240538.tif 000006
【図５】
2008240538.tif 000007
【図６】
2008240538.tif 000008
【図７】
2008240538.tif 000009
【図８】
2008240538.tif 000010
【図９】
2008240538.tif 000011
【図１０】
2008240538.tif 000012
【図１１】
2008240538.tif 000013
【図１２】
2008240538.tif 000014
【図１３】
2008240538.tif 000015